(57)【特許請求の範囲】
【請求項１】
有底筒状の容器本体（Ａ）と、容器本体（Ａ）の上端部に柄（２１）の先端部を着脱自在に固定させて容器本体（Ａ）上部に水平状態で支持した計量スプーン（Ｃ）と、容器本体（Ａ）に着脱可能に嵌合させた蓋体（Ｄ）とを備え、前記計量スプーン（Ｃ）の着脱可能な固定手段として、前記容器本体（Ａ）の上端部に内側から三枚の板状部（１８ａ），（１８ｂ），（１８ｃ）を並べて掛け渡すとともに、中央の板状部（１８ｂ）に、上方又は下方に膨出し且つ柄（２１）の先端部を摺動挿通可能な挿通部（１９）を設け、前記挿通部（１９）の頂部下面或いは底部上面と、他の板状部の上面或いは下面とで計量スプーン（Ｃ）の水平状態を維持する如く構成したことを特徴とする計量スプーン付き容器。
【請求項２】
前記各板状部（１８ａ），（１８ｂ），（１８ｃ）を、容器本体（Ａ）の上端に嵌合させた枠体（Ｂ）の一部として構成してなる請求項１記載の計量スプーン付き容器。
【発明の詳細な説明】
【技術分野】
【０００１】
本発明は計量スプーン付き容器に関する。
【背景技術】
【０００２】
計量用の計量スプーン等を備えつけた容器が種々提案されている。（例えば、特許文献１或いは特許文献２参照）。
【０００３】
前者は、折り畳み自在な箱形の容器本体の口部内周に嵌合凹段部を形成し、該嵌合凹段部に合成樹脂製の口枠を嵌合させ、該口枠には適所に一部を上方へと折り上げる薄肉のヒンジを形成するとともに、上方へ折り上げる側の一部の内側に計量カップ、計量スプーン、その他の取出し具を取り外し可能に付設し、更に、その口部を口枠を含めて閉口用の薄肉のシール片で覆って、シール片の周縁部をその口部の口縁及び口枠へ加熱溶着，接着その他の貼着手段により剥離可能に貼着している。
【０００４】
また後者は、小麦粉等の粉粒体を収納する蓋付きの容器であって、蓋の内壁面に片持状の係止片をその脚部にて固着し、係止片と内壁面との隙間にてスプーンの柄部を着脱可能に弾性保持するようにしている。
【特許文献１】特開平10-258841 号公報
【特許文献２】特開平10-328051 号公報
【発明の開示】
【発明が解決しようとする課題】
【０００５】
従来の計量スプーンを付設した容器は、一般に収納物の上に計量スプーンを装入していたが、保管，搬送時に収納物の中に潜り込んでしまうという不都合が生じる。この様な不都合を防止するため上記特許文献１或いは特許文献２の発明では、口枠に計量スプーンを取り外し可能に付設したり、蓋の内壁面に係止片を設けてスプーンの柄部を保持する如く構成することにより対応している。しかしながら、前者は開封後に取り外したスプーンを収納物の上に装入しなければならず、また、後者は、係止片と内壁面との狭い隙間に柄部を挿入しなければならないため、スプーンの着脱が行い難い等、いまだ改良の余地は残されている。
【０００６】
本発明は上記した点に鑑みてなされたもので、付設した計量スプーンが収納物内に潜り込むことはなく、しかも、開封後の取り扱い状態も容易に行えて、使用者の手に内容物を付着させることなく使用でき、構造も簡単で、安価に製造できる計量スプーン付き容器を提案する。
【課題を解決するための手段】
【０００７】
本発明の計量スプーン付き容器１は、容器本体Ａと、計量スプーンＣと、蓋体Ｄとを備えている。
【０００８】
容器本体Ａは合成樹脂等により形成されたもので、その形状は有底筒状の広口形態のものが好ましく採用できるが、収納物を計量スプーンにて掬い出せる形状であればとくに限定されない。また、形成方法は公知方法が種々採用でき、例えば真空成形や圧空成形等のシート成形により形成することができる。
【０００９】
計量スプーンＣは合成樹脂等により形成されたもので、形成方法は公知方法が種々採用でき、例えば射出成形等により形成することができる。また、掬皿20と柄21とを備えており、容器本体Ａの上端部に柄21の先端部を着脱自在に固定させて容器本体Ａ上部に水平状態で支持している。
【００１０】
また、計量スプーンＣの固定手段として、容器本体Ａの上端部に内側から三枚の板状部18a ，18b ，18c を並べて掛け渡すとともに、中央の板状部18b に、上方又は下方に膨出し且つ柄21の先端部を摺動挿通可能な挿通部19を設け、前記挿通部19の頂部下面或いは底部上面と、他の板状部の上面或いは下面とで計量スプーンＣの水平状態を維持する如く構成している。挿通部19を中央の板状部18b に、上方に膨出した形態即ち隆起形態で設けた場合には、その頂部下面と、前後の板状部18a ，18c の上面とで水平状態を維持する。また、挿通部19を中央の板状部18b の下方に、膨出した状態即ち陥没形態に設けた場合には、その底部上面と板状部18a ，18c の下面とで水平状態を維持する。
【００１１】
各板状部18a ，18b ，18c は容器本体Ａに直接掛け渡しても良いが、別部材に構成して容器本体Ａの上端部に掛け渡しても良い。別部材として形成した場合、容器本体Ａの上端部一部分のみに嵌着固定する形態をとることも可能であるが、容器本体Ａの上端部に嵌着した枠体Ｂの一部として構成することも可能である。各板状部18a ，18b ，18c の形成位置は容器本体Ａの形状等により適宜選択すると良く、容器本体Ａが角筒状の場合にはそのコーナー部分に設けると良い。各板状部18a ，18b ，18c を備えた枠体Ｂも合成樹脂等により形成され、例えば射出成形等により形成することができる。
【００１２】
蓋体Ｄも合成樹脂等により形成されたもので、容器本体Ａに着脱可能に嵌合させている。その形成方法は公知方法が種々採用でき、例えば射出成形により形成することができる。また、気密性を得るために容器本体Ａ或いは枠体Ｂに密に嵌合するシール筒32を設け、容器本体Ａ内を密閉する如く構成しても良い。
【００１３】
上記課題を解決するための第１の手段として、有底筒状の容器本体Ａと、容器本体Ａの上端部に柄21の先端部を着脱自在に固定させて容器本体Ａ上部に水平状態で支持した計量スプーンＣと、容器本体Ａに着脱可能に嵌合させた蓋体Ｄとを備え、前記計量スプーンＣの着脱可能な固定手段として、前記容器本体Ａの上端部に内側から三枚の板状部18a ，18b ，18c を並べて掛け渡すとともに、中央の板状部18b に、上方又は下方に膨出し且つ柄21の先端部を摺動挿通可能な挿通部19を設け、前記挿通部19の頂部下面或いは底部上面と、他の板状部の上面或いは下面とで計量スプーンＣの水平状態を維持する如く構成した。
【００１４】
第２の手段として、前記第１の手段に於いて、前記各板状部18a ，18b ，18c を、容器本体Ａの上端に嵌合させた枠体Ｂの一部として構成した。
【発明の効果】
【００１５】
本発明の計量スプーン付き容器は、付設した計量スプーンが収納物内に潜り込むことはなく、しかも、開封後の取り扱いも容易で、使用者の手を汚す等の不都合を極力防止でき、また、構造も簡単で、安価に製造できる。
【００１６】
また、前記容器本体Ａの上端部に内側から三枚の板状部18a ，18b ，18c を並べて掛け渡すとともに、中央の板状部18b に、上方又は下方に膨出し且つ柄21の先端部を摺動挿通可能な挿通部19を設け、前記挿通部19の頂部下面或いは底部上面と、他の板状部の上面或いは下面とで計量スプーンＣの水平状態を維持する如く構成したので、挿通部19の頂部或いは底部が開放されているため、柄21の挿通が容易であり、しかも挿入後はしっかりとズレのない計量スプーンＣの支持を行える。
【００１７】
また、各板状部18a ，18b ，18c を、容器本体Ａの上端に嵌合させた枠体Ｂの一部として構成した場合には、容器本体Ａと別の材料で各板状部18a ，18b ，18c を形成することができ、それらの特性に合った材質を選択できる利点がある。
【発明を実施するための最良の形態】
【００１８】
以下、本発明の実施例の形態を図面を参照して説明する。
【００１９】
図１乃至図３は計量スプーン付き容器の一例を示し、計量スプーン付き容器１は、容器本体Ａと、枠体Ｂと、計量スプーンＣと、蓋体Ｄとを備えている。
【００２０】
容器本体Ａは底壁２周縁部より周壁３を立設した有底の四角筒状をなし、周壁３の上端縁よりフランジ部４を介して垂壁部５を垂設している。垂壁部５は上下方向中間部の段部により上方の小径部5aと、下方の大径部5bとで構成される。容器本体Ａは合成樹脂により形成している。
【００２１】
枠体Ｂも同様に合成樹脂により形成され、前記フランジ部４上に当接した環状基板10の下面から、周壁３内周上端部に嵌合する内嵌合壁11と、小径部5a外周に嵌合する外嵌合壁12をそれぞれ垂設し、また、環状基板10の内周縁部より起立環状壁13を起立している。本例では、起立環状壁13の内周下部で、容器本体Ａのコーナー部分に三枚の板状部18a ，18b ，18c を並べて掛け渡している。また、中央の板状部18b には上方に膨出した挿通部19を設けて柄21の先端部を摺動挿通可能に構成している。そして、挿通部19の頂部下面と、板状部18a 及び18c の上面とで水平状態を維持する如く構成している。
【００２２】
計量スプーンＣは合成樹脂製で、掬皿20と、柄21とを備えている。柄21は掬皿20の上端開口縁後部より後方に略水平に延設しており、柄21を挿通部19に挿通し、挿通部19の頂部下面と、他の板状部18a 及び18c の上面とで計量スプーンＣの水平状態を維持する如く構成している。
【００２３】
蓋体Ｄは、前記大径部5b外周及び外嵌合壁12外周に下部を嵌合させた周壁30の上端縁より頂壁31を延設し、頂壁31下面より垂設したシール筒32を前記起立環状壁13の内周に気密に嵌合して容器本体Ａに気密性を付与している。
【００２４】
上記の如く構成した計量スプーン付き容器１は、例えば、図１の状態で保管，流通させる。使用に当たっては、蓋体Ｄを外し、計量スプーンＣを引けば柄21を容易に引き出すことができる。次いで収納物を計量して使用した後、柄21の先端部を挿入して押し込めば、計量スプーンＣを水平状態で容器本体Ａ上部に維持し、蓋体Ｄを被せる。
【図面の簡単な説明】
【００２５】
【図１】本発明計量スプーン付き容器の半断面図である。（実施例１）
【図２】本発明計量スプーン付き容器の一部切欠平面図である。（実施例１）
【図３】本発明計量スプーン付き容器の要部斜視図である。（実施例１）。
【符号の説明】
【００２６】
18a ，18b ，18c …板状部，19…挿通部，21…柄，Ａ…容器体，Ｂ…枠体，Ｃ…計量スプーン，Ｄ…蓋体，
【図１】
0004753239.tif 000002
【図２】
0004753239.tif 000003
【図３】
0004753239.tif 000004